(57)【要約】  サービス提供方法は、電気機器を端末からネットワークを介して制御するサーバを用いたサービス提供方法であって、端末から送られ、電気機器と中継器の接続関係を示す第１の経路情報と、電気機器の所有者を示すユーザ情報とを関連付けて登録する第１の登録ステップを備える。そして、電気機器から送られたサービス情報から、電気機器と中継器との接続関係を示す第２の経路情報を取得する経路取得ステップと、電気機器が保持するサービス情報を取得するサービス情報取得ステップとを備える。さらに、第１の経路情報と、第２の経路情報とを比較する比較ステップと、比較ステップにおいて、比較結果が一致すれば、端末にサービス情報を提供する提供ステップとを有する。
2015064101.tif 000002
【特許請求の範囲】
【請求項１】
電気機器を端末からネットワークを介して制御するサーバを用いたサービス提供方法であって、
前記端末から送られ、前記電気機器と前記電気機器との通信を中継する中継器との接続関係を示す第１の経路情報と、前記電気機器の所有者を示すユーザ情報とを関連付けて登録する第１の登録ステップと、
前記電気機器から送られたサービス情報から、前記電気機器と前記中継器との接続関係を示す第２の経路情報を取得する経路取得ステップと、
前記電気機器が保持するサービス情報を取得するサービス情報取得ステップと、
前記第１の登録ステップで登録された前記第１の経路情報と、前記経路取得ステップで取得された前記第２の経路情報とを比較する比較ステップと、
前記比較ステップにおいて、比較結果が一致すれば、前記端末に前記サービス情報を提供する提供ステップと、
を有するサービス提供方法。
【請求項２】
前記第１の経路情報と前記第２の経路情報は、
前記電気機器を識別できる機器識別子と、
前記中継器を識別できる中継器識別子とで構成されることを特徴とする、
請求項１に記載のサービス提供方法。
【請求項３】
前記サービス情報は、前記電気機器に付属するセンサから取得される値であることを特徴とする、
請求項１に記載のサービス提供方法。
【請求項４】
前記第１の登録ステップにおいて、
さらに前記第１の登録ステップ実行時の時刻情報を取得して、前記第１の経路情報、前記ユーザ情報、および前記第１の登録ステップ実行時の時刻情報を関連付けて登録し、
前記サービス情報取得ステップにおいて、
さらに前記サービス情報取得時の時刻情報を取得して、前記サービス情報、前記第２の経路情報、および前記サービス情報取得時の時刻情報を関連付けて登録し、
前記比較ステップにおいて、
さらに前記第１の登録ステップで登録された時刻情報と、前記サービス情報取得ステップで登録された時刻情報とを比較することを特徴とする、
請求項２に記載のサービス提供方法。
【請求項５】
前記第１の登録ステップにおいて、
前記端末から受信した前記電気機器のパスコードを、前記第１の経路情報および前記ユーザ情報と関連付けて、前記サーバに登録し、
前記比較ステップにおいて、
さらに前記第１の登録ステップで登録された前記電気機器のパスコードと前記端末から受信したパスコードとを比較することを特徴とする、
請求項２に記載のサービス提供方法。
【請求項６】
前記第１の登録ステップにおいて、
前記端末から受信した前記中継器のパスコードを、前記第１の経路情報および前記ユーザ情報と関連付けて前記サーバに登録し、
前記比較ステップにおいて、
さらに前記第１の登録ステップで登録された前記中継器のパスコードと前記端末から受信されたパスコードとを比較することを特徴とする、
請求項２に記載のサービス提供方法。
【請求項７】
前記第１の登録ステップにおいて、
前記第１の登録ステップ実行時の時刻情報も関連付けて登録することを特徴とする、
請求項３に記載のサービス提供方法。
【請求項８】
前記第１の登録ステップにおいて、
前記端末から受信した前記電気機器のパスコードを前記サーバに登録することを特徴とする、
請求項３に記載のサービス提供方法。
【請求項９】
前記第１の登録ステップにおいて、
前記端末から受信した前記中継器のパスコードを前記サーバに登録することを特徴とする、
請求項３に記載のサービス提供方法。
【請求項１０】
前記第１の経路取得ステップと前記比較ステップとを、前記第１の登録ステップが発生するごとに実施し、
前記比較ステップにおいて、比較結果が不一致であれば、前記端末に前記サービス情報すべてを提供しないことを特徴とする、
請求項７〜９のいずれか１項に記載のサービス提供方法。
【請求項１１】
前記第１の経路取得ステップと前記比較ステップとを、前記第１の登録ステップが発生するごとに実施し、
前記比較ステップにおいて、比較結果が不一致であれば、前記端末に前記第１の登録ステップが発生した後の前記サービス情報を提供しないことを特徴とする、
請求項７〜９のいずれか１項に記載のサービス提供方法。
【請求項１２】
前記サービス情報取得ステップにおいて、前記経路取得ステップを実行し、取得した経路情報と関連付けて登録する第２の登録ステップを有することを特徴とする、
請求項７〜９のいずれか１項に記載のサービス提供方法。
【請求項１３】
前記比較ステップを、前記第２の登録ステップ発生時に実行することを特徴とする、
請求項１２に記載のサービス提供方法。
【発明の詳細な説明】
【技術分野】
【０００１】
本発明は、電気機器から取得した情報をユーザに提供するためのサービス提供方法に関する。
【背景技術】
【０００２】
特許文献１には、ユーザ認証における入力データと事前登録データとの一致、ならびに現在位置および現在時刻から判定される移動距離から、ユーザ本人の認証を行い、情報の表示可否を決定する本人認証システムが提案されている。【０００３】
この本人認証システムでは、ユーザについての所定の登録データと、移動端末装置の過去の使用時の位置および日時とが対応されて、記憶装置に記憶される。そして、移動端末装置へのユーザ入力データおよび移動端末装置の現在位置のデータが受信され、移動端末装置へのユーザ入力データが所定の登録データと一致するという第１認証条件が満たされるか否かが判定される。さらに、記憶装置に記憶された過去の使用時の位置から移動端末装置の現在位置までの距離が、記憶装置に記憶された過去の使用時の日時から現在日時までの時間差内で移動可能な距離であるという第２認証条件が満たされるか否かが判定される。そして、少なくとも第１認証条件および第２認証条件が満たされるときに本人認証が完了する。【０００４】
これにより、移動端末装置の現在位置および現在時刻を用いて、比較的簡単な構成で移動端末装置ユーザの本人認証を行うことができる。【０００５】
上記特許文献１には、移動体通信装置の現在と過去との位置情報の距離に応じて本人か否かの判定を行う本人認証システムが開示されている。しかしながら、認証後の情報の取り扱いについては開示されていない。このため、例えば、移動体通信装置の所有者が移転した場合において、移転後に蓄積される移転後の情報と、移転前に蓄積されていた移転前の情報（移転後の所有者には不要な情報）とが混ざって、移転後の所有者に提供されるという課題を有している。
【先行技術文献】
【特許文献】
【０００６】
【特許文献１】特開２００２−６４８６１号公報
【発明の概要】
【０００７】
本発明は、上記従来の課題を解決するためになされたものであり、電気機器の所有者が移転された場合に、移転後の所有者に移転前に取得されたサービス情報が提供されることを防止し、さらに、移転後に取得されたサービス情報が移転前の所有者を含む第３者へ提供されることを防止するサービス提供方法を提供するものである。
【０００８】
本発明のサービス提供方法は、端末から送られ、電気機器と電気機器との通信を中継する中継器との接続関係を示す第１の経路情報と、電気機器の所有者を示すユーザ情報とを関連付けて登録する第１の登録ステップを備える。そして、電気機器から送られたサービス情報から電気機器と中継器との接続関係を示す第２の経路情報を取得する経路取得ステップを備える。そして、電気機器が保持するサービス情報を取得するサービス情報取得ステップと、第１の登録ステップで登録された第１の経路情報と、経路取得ステップで取得された第２の経路情報とを比較する比較ステップを備える。さらに、比較ステップにおいて、比較結果が一致すれば、端末にサービス情報を提供する提供ステップと、を有する。
【０００９】
本発明のサービス提供方法によれば、ユーザが登録した経路情報と、サービス情報を取得した際の経路情報とが比較される。これにより、電気機器の所有者が変わった場合に、所有者の移転前に電気機器から取得・蓄積されたサービス情報、すなわち、移転後の所有者には不要なサービス情報が移転後の所有者へ提供されることを防止できる。また、所有者の移転後に電気機器から取得・蓄積された情報が、移転前の所有者をはじめとした第３者へ提供されることを防止できる。
【図面の簡単な説明】
【００１０】
【図１】図１は、本発明を適用したシステムの全体を示す構成図である。
【図２Ａ】図２Ａは、実施の形態１における、ユーザＩＤと経路情報とを登録するサーバの動作を示すフロー図である。
【図２Ｂ】図２Ｂは、実施の形態１における、サービス情報を取得するサーバの動作を示すフロー図である。
【図２Ｃ】図２Ｃは、実施の形態１における、サービス情報を提供するサーバの動作を示すフロー図である。
【図３】図３は、実施の形態１において、電気機器の所有者がユーザＢからユーザＡへ移転された後のシステムの全体を示す構成図である。
【図４Ａ】図４Ａは、実施の形態２における、ユーザＩＤと経路情報とを登録するサーバの動作を示すフロー図である。
【図４Ｂ】図４Ｂは、実施の形態２における、サービス情報を取得する、サーバの動作を示すフロー図である。
【図４Ｃ】図４Ｃは、実施の形態２における、サービス情報を提供する、サーバの動作を示すフロー図である。
【図５】図５は、実施の形態２において、電気機器および中継器の所有者がユーザＢからユーザＡへ移転された後のシステムの全体を示す構成図である。
【図６Ａ】図６Ａは、実施の形態３における、ユーザＩＤおよび経路情報を登録するサーバの動作を示すフロー図である。
【図６Ｂ】図６Ｂは、実施の形態３における、サービス情報を取得するサーバの動作を示すフロー図である。
【図６Ｃ】図６Ｃは、実施の形態３における、サービス情報を提供するサーバの動作を示すフロー図である。
【図７Ａ】図７Ａは、実施の形態４における、ユーザＩＤと経路情報を登録するサーバの動作を示すフロー図である。
【図７Ｂ】図７Ｂは、実施の形態４における、サービス情報を取得するサーバの動作を示すフロー図である。
【図７Ｃ】図７Ｃは、実施の形態４における、サービス情報を提供するサーバの動作を示すフロー図である。
【図８Ａ】図８Ａは、実施の形態５における、ユーザＩＤと経路情報を取得するサーバの動作を示すフロー図である。
【図８Ｂ】図８Ｂは、実施の形態５における、サービス情報を取得するサーバの動作を示すフロー図である。
【図９】図９は、実施の形態１における登録されたユーザＩＤと経路情報を示す図である。
【図１０】図１０は、実施の形態１における取得されたサービス情報を示す図である。
【図１１】図１１は、実施の形態１における、所有者が移転された後の登録されたユーザＩＤと経路情報とを示す図である。
【図１２】図１２は、実施の形態１における、所有者の移転後に取得されたサービス情報を示す図である。
【図１３】図１３は、実施の形態２における、登録されたユーザＩＤ、経路情報、および時刻情報を示す図である。
【図１４】図１４は、実施の形態２における、取得されたサービス情報を示す図である。
【図１５】図１５は、実施の形態２における、所有者が移転された後の登録されたユーザＩＤ、経路情報、および時刻情報を示す図である。
【図１６】図１６は、実施の形態２における、所有者の移転後に取得されたサービス情報を示す図である。
【図１７】図１７は、実施の形態３における、登録されたユーザＩＤ、経路情報、およびパスコードを示す図である。
【図１８】図１８は、実施の形態３における、サーバが電気機器から受信することにより取得するサービス情報とパスコードを示す図である。
【図１９】図１９は、実施の形態３における、所有者が移転された後の登録されたユーザＩＤ、経路情報、およびパスコードを示す図である。
【図２０】図２０は、実施の形態３における、所有者の移転後に登録されたサービス情報とパスコードを示す図である。
【図２１】図２１は、実施の形態４における、登録されたユーザＩＤ、経路情報、および時刻情報を示す図である。
【図２２】図２２は、実施の形態４における、取得されたサービス情報を示す図である。
【図２３】図２３は、実施の形態４における、所有者が移転した後の登録されたユーザＩＤ、経路情報、および時刻情報を示す図である。
【図２４】図２４は、実施の形態４における、所有者が移転された前後に取得されたサービス情報を示す図である。
【図２５】図２５は、実施の形態４における、各ユーザに対する各センサ情報と、各ユーザに対するセンサ情報の提供可否とを示す図である。
【図２６】図２６は、実施の形態５における登録されたユーザＩＤ、経路情報、およびパスコードを示す図である。
【図２７】図２７は、実施の形態５における、サーバが電気機器から受信することにより取得するサービス情報とパスコードを示す図である。
【図２８】図２８は、実施の形態５における、所有者が移転された後の登録されたユーザＩＤ、経路情報、およびパスコードを示す図である。
【図２９】図２９は、実施の形態５における、所有者の移転前後に取得されたサービス情報とパスコードを示す図である。
【図３０】図３０は、実施の形態５における、各ユーザに対するセンサ情報と、各ユーザに対するセンサ情報の提供可否とを示す図である。
【発明を実施するための形態】
【００１１】
以下、本発明の実施の形態について、図面を参照しながら説明する。なお、これら実施の形態によって本発明が限定されるものではない。
【００１２】
（実施の形態１）
図１に、本発明を適用したシステムの全体を示す構成図を示す。システムは、端末１００，１１０、サーバ２００、中継器３００，３１０，３２０、および電気機器４００，４１０，４２０，４３０を備えている。
【００１３】
端末１００は、例えば携帯電話やスマートフォン、パソコンなどである。端末１００は、外部からアプリケーションプログラムを入手（ダウンロード）することが可能である。以下に説明する端末１００および端末１１０の処理は、アプリケーションプログラムによって実行される。端末１１０も、端末１００と同様の構成を有し、同様の動作を行う。
【００１４】
サーバ２００は、端末１００と公衆回線で接続される。サーバ２００は、端末１００から送信される種々の信号を処理、記憶し、また、中継器３００へこれらの信号を転送する。同様に、サーバ２００は、端末１１０と公衆回線で接続される。サーバ２００は、端末１１０から送信される種々の信号を処理、記憶し、また、中継器３１０と中継器３２０へこれらの信号を転送する。
【００１５】
中継器３００は、インターネット回線を経由して、サーバ２００から送信された種々の信号を電気機器４００へ中継し、また電気機器４００から送信される種々の信号をサーバ２００へ中継する。同様に、中継器３１０，３２０は、インターネット回線を経由して、サーバ２００から送信された種々の信号を電気機器４１０，４２０，４３０へ中継し、また電気機器４１０，４２０，４３０から送信される種々の信号をサーバ２００へ中継する。
【００１６】
電気機器４００は、例えばテレビ、レコーダー、空気調和機、掃除機、冷蔵庫、洗濯機、炊飯器、電子レンジ、および給湯器などから適宜選択される機器である。電気機器４００は、電気機器４００の利用者の宅内に設置される場合が多いが、利用者の宅外に設置されていてもよい。また、電気機器４００は、中継器３００と無線通信が可能となるよう通信機能を内蔵している。なお、通信機能は電気機器４００とは別の機器として構成され、電気機器４００と接続する構成であってもよい。また、電気機器４００は、センサを搭載しており、サービス情報としてセンサ情報を送信することができる。なお、センサは、例えば、人感センサであり、センサの反応回数をセンサ情報として送信する。反応回数は、例えば、「０」（少ない）〜「４」（多い）の５段階がある。ここでは、センサに人感センサを用いているが、この限りではなく、温度センサ、又は湿度センサ等の別のセンサを用いてもよい。
【００１７】
なお、サービス情報は、電気機器４００の内部処理値であってもよい。内部処理値とは、電気機器４００で処理されたあらゆる値を意味する。例えば、内部処理値は、電気機器４００の運転に関係する情報であり、より具体的には、消費電力に関する情報、購入からの総稼働時間、または購入からの総消費電力情報等である。さらに具体的には、電気機器４００が冷蔵庫の場合、ドアの開閉回数情報、圧縮機の駆動時間、または除湿運転情報等である。また、電気機器４００が空気調和機の場合、室内温度、室外温度情報、湿度情報、または運転中の設定温度変化推移等である。
【００１８】
電気機器４１０，４２０，４３０は、電気機器４００と同様の構成および機能を有している。
【００１９】
中継器３００，３１０，３２０と電気機器４００，４１０，４２０，４３０との無線通信は、無線ＬＡＮ、Ｂｌｕｅｔｏｏｔｈ（登録商標）、および特定小電力無線から適宜選択される様々な通信手段（通信規格）によって実現される。
【００２０】
中継器３００，３１０，３２０は、電気機器４００，４１０，４２０，４３０のいずれとも接続することができる。ここでは、端末１００、中継器３００、および電気機器４００は、ユーザＡの所有物である。中継器３００は電気機器４００と接続される。端末１１０、中継器３１０，３２０、および電気機器４１０，４２０，４３０はユーザＢの所有物である。中継器３１０は電気機器４１０と電気機器４２０とに接続され、中継器３２０は電気機器４３０と接続される。
【００２１】
図２Ａは、実施の形態１における、ユーザＩＤと経路情報とを登録するサーバの動作を示すフロー図である。
【００２２】
まず、サービスの登録ステップにおける動作について、ユーザＡが所有する中継器３００と電気機器４００とを登録する場合で説明する。
【００２３】
サーバ２００は、電気機器４００と中継器３００とを接続することを示す経路情報と、ユーザＡを特定するユーザＩＤとを端末１００から受信し、互いに関連付けて登録する（ステップＳ２０００）。
【００２４】
ユーザＩＤは、利用者固有の番号であり、利用者を一意に定めるものである。端末１００は、ユーザＡ固有の番号であるユーザＩＤを特定する入力を受け付ける。
【００２５】
経路情報とは、具体的には、例えば、電気機器４００のＩＰアドレスと中継器３００のＩＰアドレスとを組にしたデータである。経路情報により、サーバ２００から中継器３００を経由して電気機器４００まで接続される経路が特定される。端末１００は、ユーザＡによる、電気機器４００のＩＰアドレスと中継器３００のＩＰアドレスとをそれぞれ特定する入力を受け付ける。
【００２６】
なお、ここでは、電気機器４００および中継器３００は、ＩＰアドレスで特定されているが、例えば、機器ＩＤ（品番又はシリアル番号）で特定されてもよいし、ＭＡＣアドレス等で特定されてもよい。他の実施の形態でも同様であり、電気機器４００および中継器３００は、ＩＰアドレスで特定されてもよいし、機器ＩＤ（品番又はシリアル番号）で特定されてもよいし、ＭＡＣアドレス等で特定されてもよい。
【００２７】
同様に、サーバ２００は、中継器３１０および電気機器４１０，４２０それぞれを接続する経路情報と、ユーザＢを特定するユーザＩＤとを端末１１０から受信して登録する。また、サーバ２００は、中継器３２０と電気機器４３０とを接続する経路情報と、ユーザＢを特定するユーザＩＤとを端末１１０から受信して、登録する。
【００２８】
図９に、実施の形態１における、登録されたユーザＩＤと経路情報とを示す。ここでは、ユーザＩＤと経路情報とは関連付けて登録されている。
【００２９】
図２Ｂは、実施の形態１における、サービス情報を取得するサーバ２００の動作を示すフロー図である。
【００３０】
サービス情報の取得ステップにおける動作について、サーバ２００が、電気機器４００からサービス情報を取得する場合で説明する。
【００３１】
サーバ２００は、サービス情報を受信すると、そのサービス情報が送信されてきた経路を抽出する。
【００３２】
サービス情報は電気機器４００のセンサ情報であり、電気機器４００から中継器３００を経由してサーバ２００へと転送される。サーバ２００が受信したセンサ情報には、中継経路を示す電気機器４００および中継器３００のＩＰアドレスが付加されている。
【００３３】
実施の形態１における取得されたサービス情報を図１０に示す。ここでは、サービス情報には、センサ情報と、経路情報とが含まれる。
【００３４】
サーバ２００は、サービス情報を受信すると、電気機器４００および中継器３００のＩＰアドレスを抽出することにより、サービス情報が送信されてきた経路情報を取得する（ステップＳ２０１０）。
【００３５】
サーバ２００は、受信したサービス情報から電気機器４００が送信したセンサ情報を抽出する（ステップＳ２０２０）。電気機器４１０，４２０，４３０からサービス情報を取得する場合も同様のフローとなる。
【００３６】
サービス情報の提供ステップにおける動作について、サーバ２００が、電気機器４００からサービス情報を取得した場合で説明する。
【００３７】
図２Ｃは、実施の形態１における、サービス情報を提供する、サーバの動作を示すフロー図である。
【００３８】
サーバ２００は、端末１００からユーザＡを特定するユーザＩＤとともに電気機器４００のセンサ情報閲覧の要求を受けると、ステップＳ２０１０で取得された経路情報と、ステップＳ２０００にてユーザＡが登録している経路情報との比較を行う（ステップＳ２０３０）。
【００３９】
すなわち、ステップＳ２０３０では、ステップＳ２０１０で取得された経路情報と、ステップＳ２０００にてユーザが登録している経路情報との比較が行われる。
【００４０】
サーバ２００は、上記比較の結果、経路情報、すなわち、電気機器のＩＰアドレスと中継器のＩＰアドレスとの組み合わせが一致するセンサ情報を端末１００へ送信する（ステップＳ２０４０）。一方、サーバ２００は、上記比較の結果、経路情報が一致しないセンサ情報は端末１００へ送信しない。
【００４１】
なお、ここでは、経路情報の登録とセンサ情報閲覧の要求とが同じ端末１００から操作されたものとしたが、必ずしも同じ端末から操作される必要はなく、ユーザＩＤが同一であれば、異なる端末から操作されてもよい。
【００４２】
ユーザＢが端末１１０を用いて、電気機器４１０から取得されたサービス情報を閲覧する場合や、電気機器４２０から取得されたサービス情報を閲覧する場合も同様のフローとなる。
【００４３】
さて、ここで、例えば、ユーザＢからユーザＡに電気機器４２０の所有者が移転したとする。図１１に、実施の形態１における、所有者が移転された後の登録されたユーザＩＤと経路情報とを示す。
【００４４】
ユーザＡは、ステップＳ２０００で示した手順で、新たに電気機器４２０と中継器３００の経路情報を登録する。このとき、ユーザＢにより、電気機器４２０と中継器３１０の組み合わせの経路情報の登録が抹消されるとは限らない。
【００４５】
図３に、実施の形態１において、電気機器４２０の所有者がユーザＢからユーザＡへ移転された後のシステムの全体構成を示す。
【００４６】
その後、サーバ２００は、ステップＳ２０１０とステップＳ２０２０のフローにしたがって、電気機器４２０のサービス情報を取得する。図１２は、実施の形態１における、所有者の移転後に取得されたサービス情報を示す図である。
【００４７】
この後、サーバ２００が、ユーザＡを特定するユーザＩＤとともに電気機器４２０のセンサ情報の閲覧要求を端末１００から受信したとする。サーバ２００は、ステップＳ２０００で登録された経路情報（図１１）と、ステップＳ２０１０で取得した経路情報（図１２）とを比較し（ステップＳ２０３０）、それらが一致するセンサ情報が端末１００へ送信される（ステップＳ２０４０）。
【００４８】
一方、サーバ２００が、ユーザＢを特定するユーザＩＤとともに電気機器４２０のセンサ情報の閲覧要求を端末１１０から受信したとする。ユーザＢの経路情報として、電気機器４２０のＩＰアドレスと中継器３１０のＩＰアドレスとの組み合わせ、すなわち、電気機器４２０の所有者の移転前の経路情報が登録されている。これに対し、所有者の移転後にサーバ２００が受信したセンサ情報は、電気機器４２０のＩＰアドレスと中継器３００とのＩＰアドレスの組み合わせとともに取得されている。したがって、サーバ２００は、経路情報が一致しないと判断し（ステップＳ２０３０）、ユーザＢの端末１１０へは図１２に示されるセンサ情報を送信しない。
【００４９】
また、サーバ２００が、端末１００からユーザＡを特定するユーザＩＤとともに電気機器４１０のセンサ情報の閲覧要求を受信したとする。サーバ２００は、ユーザＡを特定するユーザＩＤとともに登録された、電気機器４１０に関連する経路情報を持たない。したがって、サーバ２００は、端末１００へセンサ情報を送信しない。
【００５０】
同様に、サーバ２００が、ユーザＢを特定するユーザＩＤとともに電気機器４００のセンサ情報の閲覧要求を端末１１０から受信したとする。サーバ２００は、ユーザＢを特定するユーザＩＤとともに登録された、電気機器４００に関連する経路情報を持たない。したがって、端末１１０へセンサ情報を送信しない。
【００５１】
以上のように、本実施の形態によれば、サーバ２００は、登録された経路情報と一致する経路で取得されたサービス情報を抽出して、端末１００または１１０にサービス情報を提供することができる。これにより、電気機器の所有者が移転された場合に、移転後の所有者へ、移転前の不要なサービス情報が提供されることを防止できる。また、所有者移転後に、移転前の所有者へ、移転後の不要なサービス情報が提供されることを防止できる。また、所有者の許可なしに、第３者が電気機器を中継器の経路情報とともに登録することは難しい。したがって、所有者の許可なしに第３者へサービス情報が提供されることを防止できる。
【００５２】
（実施の形態２）
図４Ａは、実施の形態２における、ユーザＩＤと経路情報とを登録する、サーバの動作を示すフロー図である。システムの構成は、実施の形態１（図１）と同様である。実施の形態１と同じステップについては説明を省略する。
【００５３】
まず、サービスの登録ステップにおける動作について、ユーザＡが、所有する中継器３００と電気機器４００とを登録する場合で説明する。
【００５４】
サーバ２００は、電気機器４００の機器ＩＤ、中継器３００の中継器ＩＤ、およびユーザＡを特定するユーザＩＤを端末１００から受信し、機器ＩＤと中継器ＩＤとを、サーバ２００が受信した時の時刻情報（Ｔ１）と関連付けて登録する（ステップＳ４０００）。
【００５５】
ここで、機器ＩＤは電気機器４００を特定する一意の番号であり、中継器ＩＤは中継器３００を特定する一意の番号である。
【００５６】
同様に、サーバ２００は、中継器３１０と電気機器４１０，４２０とを接続する経路情報と、ユーザＢを特定するユーザＩＤとを端末１１０から受信して、受信した時刻情報（Ｔ２，Ｔ３）と関連付けて登録する。また、中継器３２０と電気機器４３０とを接続する経路情報と、ユーザＢを特定するユーザＩＤとを端末１１０から受信して、受信した時刻情報（Ｔ４）と関連付けて登録する。電気機器４１０，４２０，４３０を登録した際の時刻情報を、それぞれＴ２，Ｔ３，Ｔ４とする。
【００５７】
なお、本実施の形態では、時刻情報をサーバが受信した時刻としたが、電気機器４００または中継器３００から送信された時刻でもよいし、サーバ２００が登録する時刻でもよい。他の実施の形態でも同様であり、時刻情報は、サーバが受信した時刻でもよいし、電気機器または中継器から送信された時刻でもよいし、サーバが登録する時刻でもよい。
【００５８】
実施の形態２における、登録されたユーザＩＤ、経路情報、および時刻情報を図１３に示す。
【００５９】
図４Ｂは、実施の形態２における、サービス情報を取得する、サーバの動作を示すフロー図である。
【００６０】
サービス情報の取得ステップにおける動作について、サーバ２００が、電気機器４００からサービス情報を取得する場合で説明する。
【００６１】
サーバ２００は、サービス情報を受信すると、そのサービス情報が送信されてきた経路を抽出する。
【００６２】
サービス情報は、電気機器４００のセンサ情報であり、電気機器４００から中継器３００を経由してサーバ２００へと転送される。サーバ２００が受信したセンサ情報には、中継経路を示す電気機器４００の機器ＩＤと中継器３００の中継器ＩＤとが付加されている。
【００６３】
実施の形態２における、取得されたサービス情報を図１４に示す。ここでは、サービス情報には、センサ情報、経路情報、および時刻情報を含む。
【００６４】
サーバ２００は、サービス情報を受信すると、電気機器４００の機器ＩＤと中継器３００の中継器ＩＤとを抽出することにより、サービス情報が送信されてきた経路情報を取得する（ステップＳ４０１０）。
【００６５】
サーバ２００は、受信したサービス情報から電気機器４００が送信したセンサ情報を抽出する。その際に、ステップＳ４０１０で取得した機器ＩＤ、中継器ＩＤ、およびセンサ情報を、サーバ２００が受信した時の時刻情報（Ｔ５）と関連付ける（ステップＳ４０２０）。
【００６６】
電気機器４１０，４２０，４３０からサービス情報を取得する場合も同様のフローとなる。
【００６７】
次に、サービス情報の提供ステップにおける動作について説明する。
【００６８】
図４Ｃは、実施の形態２における、サービス情報を提供する、サーバの動作を示すフロー図である。
【００６９】
サーバ２００は、ユーザＡを特定するユーザＩＤとともに電気機器４００のセンサ情報の閲覧要求を端末１００から受信すると、ステップＳ４０１０で取得した機器ＩＤと中継器ＩＤのペア情報と、ステップＳ４０００にてユーザＡが登録した機器ＩＤと中継器ＩＤのペア情報との比較を行う。これに加えて、サーバ２００は、ステップＳ４０２０で取得したセンサ情報受信時の時刻情報（Ｔ５）とステップＳ４０００にて登録した時刻情報（Ｔ１）とを比較する（ステップＳ４０３０）。
【００７０】
すなわち、ステップＳ４０３０では、Ｓ４０１０で取得された機器ＩＤが、ステップＳ４０００にてユーザが登録した機器ＩＤと一致するかが判定される。さらに、ステップＳ４０３０では、Ｓ４０１０で取得された中継器ＩＤが、ステップＳ４０００にてユーザが登録した機器ＩＤと一致するかが判定される。さらに、ステップＳ４０３０では、Ｓ４０２０で取得されたセンサ情報受信時の時刻情報（Ｔ５）と、ステップＳ４０００にて登録された時刻情報（Ｔ１）との比較が行われる。
【００７１】
比較の結果、経路情報、すなわち、機器ＩＤと中継器ＩＤのペア情報が一致し、かつ、Ｔ５がＴ１以降であれば、サーバ２００は、ペア情報に関連付けられたセンサ情報を端末１００へ送信する（ステップＳ４０４０）。サーバ２００は、経路情報が一致しないか、あるいは一致してもＴ５がＴ１よりも前の時刻であれば、センサ情報を端末１００へ送信しない。
【００７２】
ユーザＢが端末１１０を用いて、電気機器４１０から取得されたサービス情報を閲覧する場合、および電気機器４２０から取得されたサービス情報を閲覧する場合も同様のフローとなる。
【００７３】
さて、ここで、例えば、ユーザＢからユーザＡに、電気機器４２０および中継器３１０の所有者が移転したとする。図１５は、実施の形態２における所有者が移転された後の登録されたユーザＩＤ、経路情報、および時刻情報を示す。
【００７４】
ユーザＡは、ステップＳ４０００で示した手順で、新たに電気機器４２０と中継器３１０それぞれの経路情報を、時刻情報（Ｔ６）とともに登録する。その際に、サーバ２００は、所有者が移転した中継器に関連する経路情報の登録を抹消する。ここでは、ユーザＢによる電気機器４２０と中継器３１０それぞれの経路情報の登録がサーバ２００により抹消される。
【００７５】
実施の形態２において、電気機器４２０および中継器３１０の所有者がユーザＢからユーザＡへ移転された後のシステムの全体を図５に示す。
【００７６】
その後、サーバ２００は、ステップＳ４０１０とステップＳ４０２０のフローにしたがって、電気機器４２０のサービス情報を、時刻情報（Ｔ７）とともに取得する。図１６は、実施の形態２における、所有者の移転後に取得されたサービス情報を示す図である。
【００７７】
サーバ２００が、ユーザＡを特定するユーザＩＤとともに電気機器４２０のセンサ情報の閲覧要求を端末１００から受信したとする。サーバ２００は、ステップＳ４０００で登録されたユーザＡの経路情報および時刻情報と、ステップＳ４０１０で取得された経路情報および時刻情報を比較する（ステップＳ４０３０）。
【００７８】
経路情報が一致するサービス情報の時刻情報Ｔ７はＴ６以降であるため、端末１００へ時刻Ｔ７のセンサ情報が送信される（ステップＳ４０４０）。このとき、経路情報が一致するサービス情報であっても、時刻情報が時刻Ｔ６より前であるサービス情報は送信されない。
【００７９】
以上のように、本実施の形態によれば、登録された機器ＩＤと中継器ＩＤのペア情報と一致する経路で取得されたセンサ情報であり、さらに、登録時の時刻情報より後に取得されたセンサ情報をユーザに提供することができる。これにより、電気機器と中継器を合わせて移転したような場合でも、移転後の所有者に対して、移転前の所有者の情報は提供されず、所有者移転後の情報のみ提供されることが可能となる。
【００８０】
（実施の形態３）
図６Ａは、実施の形態３における、ユーザＩＤおよび経路情報を登録する、サーバの動作を示すフロー図である。システムの構成は、実施の形態１（図１）と同様である。実施の形態１、２と同じ構成、同じステップ等は説明を省略する。
【００８１】
まず、サービスの登録ステップにおける動作について、ユーザＡが、所有する中継器３００と電気機器４００を登録する場合で説明する。
【００８２】
サーバ２００は、電気機器４００の機器ＩＤ、中継器３００の中継器ＩＤ、および電気機器４００のパスコードを端末１００から受信し、これらを関連づけて登録するとともに、電気機器４００にパスコードを送信する（ステップＳ６０００）。機器ＩＤ、中継器ＩＤ、およびパスコードは、例えば、端末１００が、ユーザＡによる入力を受け付けることで特定される。
【００８３】
ここで、パスコードは、サーバ２００が電気機器４００と通信する際の認証に用いられ、ユーザによって決定される。
【００８４】
同様に、サーバ２００は、ユーザＢを特定するユーザＩＤ、中継器３１０に電気機器４１０，４２０を接続する経路情報、およびパスコードを端末１１０から受信して、これらを関連付けて登録する。また、サーバ２００は、ユーザＢを特定するユーザＩＤ、中継器３２０に電気機器４３０を接続する経路情報、およびパスコードを端末１１０から受信して、これらを関連付けて登録する。
【００８５】
図１７は、実施の形態３における、登録されたユーザＩＤ、経路情報、およびパスコードを示す図である。
【００８６】
図６Ｂは、実施の形態３における、サービス情報を取得する、サーバの動作を示すフロー図である。
【００８７】
次にサービス情報の取得ステップにおける動作について、サーバ２００が、電気機器４００からサービス情報を取得する場合で説明する。
【００８８】
図１８は、実施の形態３における、サーバ２００が電気機器４００から受信することにより取得するサービス情報とパスコードとを示す。
【００８９】
サーバ２００は、サービス情報を受信すると、電気機器４００の機器ＩＤと中継器３００の中継器ＩＤとを抽出することにより、サービス情報が送信されてきた経路情報を取得する（ステップ６０１０）。サーバ２００は、受信したサービス情報から電気機器４００が送信したセンサ情報およびパスコードを抽出する。そして、サーバ２００は、ステップ６０１０で取得したセンサ情報、機器ＩＤ、中継器ＩＤ、および電気機器４００のパスコードを関連付けて登録する（ステップＳ６０２０）。
【００９０】
電気機器４１０，４２０，４３０からサービス情報を取得する場合も同様である。
【００９１】
次に、サービス情報の提供ステップにおける動作について、サーバ２００が、電気機器４００からのサービス情報をユーザへ提供する場合で説明する。
【００９２】
図６Ｃは、実施の形態３における、サービス情報を提供する、サーバの動作を示すフロー図である。
【００９３】
サーバ２００が、ユーザＡを特定するユーザＩＤとともに電気機器４００のセンサ情報の閲覧要求を端末１００から受信したとする。サーバ２００は、ステップＳ６０１０で取得した機器ＩＤと中継器ＩＤとのペア情報と、ステップＳ６０００にて登録した機器ＩＤと中継器ＩＤとのペア情報を比較するとともに、ステップＳ６０２０で取得したパスコードとステップＳ６０００にて登録したパスコードとを比較する（ステップＳ６０３０）。
【００９４】
すなわち、ステップＳ６０３０では、ステップＳ６０１０で取得された機器ＩＤと、ステップＳ６０００にて登録された機器ＩＤとが比較される。さらに、ステップＳ６０３０では、ステップＳ６０１０で取得された中継器ＩＤと、ステップＳ６０００にて登録された中継器ＩＤとが比較される。さらに、ステップＳ６０２０で取得されたパスコードとステップＳ６０００にて登録されたパスコードとが比較される。
【００９５】
比較した結果、経路情報、すなわち、機器ＩＤと中継器ＩＤとのペア情報が一致し、かつ、登録時のパスコードと取得時のパスコードとが一致していれば、サーバ２００は、ペア情報に関連付けられたセンサ情報を端末１００へ送信する（ステップＳ６０４０）。
【００９６】
ユーザＢが端末１１０を用いて、電気機器４１０からのサービス情報を閲覧する場合と電気機器４２０からのサービス情報を閲覧する場合も同様である。
【００９７】
ここで、例えば、ユーザＢからユーザＡへ電気機器４２０と中継器３１０との所有者を移転したとする。図１９は、実施の形態３における、所有者が移転された後の登録されたユーザＩＤ、経路情報、およびパスコードを示す図である。ユーザＡは、ステップＳ６０００で示した手順で、電気機器４２０と中継器３１０との経路情報を、パスコードとともに登録する。
【００９８】
電気機器４２０の所有者がユーザＢからユーザＡへ移転された後のシステムの全体は図３と同様である。
【００９９】
その後、サーバ２００は、ステップＳ６０１０とステップＳ６０２０のフローにしたがって、電気機器４２０のサービス情報を、パスコードとともに取得する。図２０は、実施の形態３における、所有者の移転後に登録されたサービス情報とパスコードとを示す。
【０１００】
サーバ２００が、ユーザＡを特定するユーザＩＤとともに電気機器４２０のセンサ情報の閲覧要求を端末１００から受信したとする。サーバ２００は、ステップＳ６０００で登録した経路情報およびパスコードと、ステップＳ６０２０で取得された経路情報およびパスコードとを比較する（ステップＳ６０３０）。
【０１０１】
サーバ２００は、比較の結果、経路情報、すなわち、機器ＩＤおよび中継器ＩＤがともに一致し、かつ、パスコードも一致するセンサ情報を端末１００へ送信する（ステップＳ６０４０）。サーバ２００は、経路情報が一致しないか、あるいは一致してもパスコードが一致しなければ、センサ情報は端末１００へ送信されない。この場合、図２０に示されるセンサ情報は、端末１００へ送信されることにより、ユーザＡへ提供される。
【０１０２】
一方、端末１１０からユーザＢを特定するユーザＩＤとともに電気機器４２０のセンサ情報の閲覧要求を受信した場合も同様であるが、ステップＳ６０３０にてパスコードを比較する際に、ユーザＢが登録したパスコードとステップＳ６０２０で取得されたパスコードとが一致しない。このため、図２０に示されるセンサ情報は端末１１０へは送信されず、ユーザＢへは提供されない。
【０１０３】
なお、本実施の形態において、登録時の電気機器のパスコードと取得時の電気機器のパスコードとを比較する例で説明したが、電気機器ではなく中継器のパスワードを比較してもよい。また、電気機器のパスコードと中継器のパスコードの両方のパスコードについて、登録時のパスコードと取得時のパスコードと比較してもよい。他の実施の形態でも同様である。
【０１０４】
以上のように、本実施の形態によれば、登録された機器ＩＤと中継器ＩＤのペア情報と一致する経路で取得されたサービス情報であり、さらに、登録時のパスコードとセンサ情報取得時のパスコードとが一致するセンサ情報を提供できる。これにより、電気機器と中継器を合わせて移転したような場合でも、移転後の所有者がパスコードを変更することで、移転前の所有者の情報が移転後の所有者へ提供されることが防止され、所有者移転後の情報のみ提供される。
【０１０５】
（実施の形態４）
図７Ａは、実施の形態４における、ユーザＩＤと経路情報とを登録する、サーバの動作を示すフロー図である。システムの構成は、実施の形態１（図１）と同様である。実施の形態１〜３と同じ構成、同じステップ等については説明を省略する。
【０１０６】
まず、サービスの登録ステップにおける動作について、ユーザＡが、所有する中継器３００と電気機器４００とを登録する場合で説明する。
【０１０７】
サーバ２００は、電気機器４００と中継器３００を接続することを示す経路情報と、ユーザＩＤとを端末１００から受信する。サーバ２００は、経路情報、ユーザＩＤ、および経路情報を受信した時の時刻情報（Ｔ１）を関連付けて登録する（ステップＳ７０００）。
【０１０８】
図２１は、実施の形態４における、登録されたユーザＩＤ、経路情報、および時刻情報を示す図である。中継器３１０に電気機器４１０，４２０を接続する場合、中継器３２０に電気機器４３０を接続する場合も同様である。電気機器４１０，４２０，４３０を登録した際の時刻情報をそれぞれＴ２，Ｔ３，Ｔ４とする。
【０１０９】
図７Ｂは、実施の形態４における、サービス情報を取得するサーバの動作を示すフロー図である。
【０１１０】
サービス情報の取得ステップにおける動作について、サーバ２００が、電気機器４００からサービス情報を取得する場合で説明する。
【０１１１】
サーバ２００は、受信したサービス情報から電気機器４００が送信したセンサ情報を抽出する。その際に、ステップＳ２０１０で取得した経路情報とセンサ情報受信時の時刻情報とを関連付ける（ステップＳ７０２０）。電気機器４１０〜４３０からサービス情報を取得する場合も同様である。
【０１１２】
図２２は、実施の形態４における、取得されたサービス情報を示す図である。ここでは、サービス情報には、センサ情報、経路情報、および時刻情報を含む。
【０１１３】
サーバ２００は、ステップＳ７０００で登録された経路情報とステップＳ２０１０で取得された経路情報とを比較するとともに、ステップＳ７０００で登録した時刻情報（Ｔ１）とステップＳ７０２０にて受信した時刻である時刻情報（Ｔ５）とを比較する（ステップＳ７１１０）。
【０１１４】
すなわち、ステップＳ７１１０では、ステップＳ７０００で登録された経路情報とステップＳ２０１０で取得された経路情報とが比較される。さらに、ステップＳ７１１０では、ステップＳ７０００で登録した時刻情報（Ｔ１）とサービス情報の受信時刻である時刻情報（Ｔ５）とが比較される。
【０１１５】
比較の結果、経路情報が一致し、かつ、Ｔ５がＴ１以降であれば、サーバ２００は、ステップＳ７０００で登録したユーザに対し、センサ情報の提供を許可する（ステップＳ７０７０）。一方、比較の結果、経路情報が一致しない、または、Ｔ５がＴ１以前であれば、サーバ２００は、ステップＳ７０００で登録したユーザに対し、センサ情報の提供を禁止する（ステップＳ７０８０）。
【０１１６】
サーバ２００は、ステップＳ２０１０で取得した経路情報、ステップＳ７０２０で取得したセンサ情報、およびセンサ情報の提供の可否（許可または禁止）を関連付けて、登録する（ステップＳ７１００）。
【０１１７】
次に、サービス情報の提供ステップにおける動作について、サーバ２００が、電気機器４００からのサービス情報をユーザＡへ提供する場合で説明する。
【０１１８】
図７Ｃは、実施の形態４における、サービス情報を提供するサーバの動作を示すフロー図である。
【０１１９】
サーバ２００は、利用者による端末１００からのセンサ情報の閲覧要求を受信すると、センサ情報の提供が許可されているかどうかを判定する（ステップＳ７０９０）。すなわち、ステップＳ７０９０では、センサ情報の提供が許可されているか否かが判定される。
【０１２０】
判定の結果、許可されていれば、サーバ２００は、センサ情報を端末１００へ送信する（ステップＳ７０４０）。判定の結果、禁止されていれば、サーバ２００は、センサ情報を端末１００へ送信しない（ステップＳ７０５０）。
【０１２１】
さて、ここで、ユーザＢからユーザＡへ、電気機器４２０および中継器３１０の所有者が移転されたとする。電気機器４２０および中継器３１０の所有者がユーザＢからユーザＡへ移転された後のシステムの全体は図５と同様である。
【０１２２】
ユーザＡは、ステップＳ７０００で示した手順で、電気機器４２０と中継器３１０の経路情報を時刻情報（Ｔ１０）とともに登録する。このとき、ユーザＢによる電気機器４２０と中継器３１０の経路情報の登録が抹消される。
【０１２３】
図２３は、実施の形態４における、所有者が移転された後の登録されたユーザＩＤ、経路情報、および時刻情報を示す。
【０１２４】
図２４は、実施の形態４における、所有者が移転された前後に取得されたサービス情報を示す。サービス情報には、センサ情報、経路情報、および時刻情報が含まれる。ここで、時刻情報Ｔ６〜Ｔ９は、電気機器４００〜４３０に関するセンサ情報を取得した時刻に関する情報であり、かつ、電気機器４２０および中継器３１０の所有者がユーザＡに移転される前の時刻に関する情報である。時刻情報Ｔ１１は、電気機器４２０に関するセンサ情報を取得した時刻に関する情報であり、かつ、電気機器４２０および中継器３１０の所有者がユーザＡに移転された後の時刻に関する情報である。
【０１２５】
サーバ２００は、各ユーザに対する、取得したセンサ情報の提供可否を判断する（ステップＳ７１１０，Ｓ７０７０，Ｓ７０８０）。サーバ２００は、サービス情報とともに、提供可否の判断結果を登録する（ステップＳ７１００）。
【０１２６】
図２５は、実施の形態４における、各ユーザに対する各センサ情報と、各ユーザに対するセンサ情報の提供可否とを示す。なお、図２５のサービス提供可否の項目において、「１」は許可、「０」は禁止を表す。
【０１２７】
ユーザＡから端末１００を用いて電気機器４２０のサービス情報の閲覧要求があった場合について説明する。ここで、サーバ２００は、電気機器４２０のセンサ情報は時刻Ｔ８に取得した情報と、時刻Ｔ１０より後の時刻Ｔ１１に取得した情報とを持っているものとする。なお、時刻Ｔ１１は、時刻Ｔ１０から所定時間経過後の時刻である。しかし、ユーザＡに対しては時刻Ｔ１１の情報のみ提供許可されているため、サーバ２００は、時刻Ｔ１１に取得したセンサ情報を端末１００へ送信し、時刻Ｔ８に取得したセンサ情報を端末１００へ送信しない。
【０１２８】
一方、ユーザＢから端末１１０を用いて電気機器４２０のサービス情報の閲覧要求があった場合、ユーザＢに対しては、時刻Ｔ８のセンサ情報の提供が許可されているため、サーバ２００は、時刻Ｔ８に取得したセンサ情報を端末１１０へ送信する。サーバ２００は、時刻Ｔ１１に取得したセンサ情報を端末１１０へ送信しない。
【０１２９】
なお、本実施の形態において、ステップＳ７１１０，Ｓ７０７０，およびＳ７０８０のフローを、サービス情報の取得時にステップＳ７０２０の後に実行しているが、これらをサービス登録ステップのステップＳ７０００の後に実行してもよい。この場合、実施の形態２と同様に、サービス情報の取得時に、ユーザＩＤ、サービス情報を取得した経路情報、および取得した時刻情報が登録されているものとする。
【０１３０】
以上のように、本実施の形態によれば、センサ情報を登録するときにサービス提供の可否判定を行い、その可否判定結果をサービス情報とともに登録する。これにより、所有者の移転後に受信されたセンサ情報は、移転後の所有者以外のユーザに対して提供されることを防止できる。また、所有者の移転前に受信されたセンサ情報は、移転前の所有者以外のユーザに対して提供されることを防止できる。
【０１３１】
（実施の形態５）
図８Ａは、実施の形態５における、ユーザＩＤと経路情報とを取得する、サーバの動作を示すフロー図である。システムの構成は、実施の形態１（図１）と同様である。実施の形態１から４と同じ構成、同じステップ等については説明を省略する。
【０１３２】
まず、サービスの登録ステップにおける動作について、ユーザＡが、所有する中継器３００および電気機器４００を登録する場合で説明する。
【０１３３】
サーバ２００は、電気機器４００と中継器３００とを接続することを示す経路情報と、中継器３００のパスコードとを受信し、関連付けて登録するとともに、中継器３００にパスコードを送信する（ステップＳ８０００）。
【０１３４】
ユーザＢが端末１１０を用いて、中継器３１０に電気機器４１０，４２０を接続する場合と中継器３２０に電気機器４３０を接続する場合も同様である。
【０１３５】
登録されたユーザＩＤ、経路情報、およびパスコードの例を図２６に示す。
【０１３６】
図８Ｂは、実施の形態５における、サービス情報を取得する、サーバの動作を示すフロー図である。
【０１３７】
サービス情報の取得ステップにおける動作について、サーバ２００が、電気機器４００からサービス情報を取得する場合で説明する。
【０１３８】
サーバ２００は、受信したサービス情報から電気機器４００が送信したセンサ情報を抽出する。その際に、ステップＳ２０１０で取得した経路情報と中継器３００のパスコードとを関連付ける（ステップＳ８０２０）。電気機器４１０〜４３０からサービス情報を取得する場合も同様である。
【０１３９】
図２７は、サーバ２００が電気機器４００から受信することにより取得するサービス情報とパスコードを示す。
【０１４０】
サーバ２００は、ステップＳ８０００で登録された経路情報とステップＳ２０１０で取得された経路情報とを比較するとともに、ステップＳ８０００で登録した中継器３００のパスコードとステップＳ８０２０にて取得したサービス情報から抽出された中継器３００のパスコードとを比較する（ステップＳ８１１０）。
【０１４１】
すなわち、ステップＳ８１１０では、ステップＳ８０００で登録された経路情報とステップＳ２０１０で取得された経路情報とが比較される。これに加えて、ステップＳ８１１０では、ステップＳ８０００で登録した中継器３００のパスコードとステップＳ８０２０にて取得したサービス情報から抽出された中継器３００のパスコードとが比較される。
【０１４２】
比較の結果、経路情報が一致し、かつ、中継器３００のパスコードも一致していれば、サーバ２００は、ステップＳ８０００で登録したユーザに対し、センサ情報の提供を許可する（ステップＳ８０７０）。一方、比較の結果、経路情報が一致しない、または、中継器３００のパスコードが一致していなければ、サーバ２００は、ステップＳ８０００で登録したユーザに対し、センサ情報の提供を禁止する（ステップＳ８０８０）。サーバ２００は、ステップＳ２１０で取得した経路情報、ステップＳ８０２０で取得したセンサ情報、およびセンサ情報の提供の可否（許可または禁止）を関連付けて、登録する（ステップＳ８１００）。
【０１４３】
サービス情報の提供に関しては、実施の形態４と同様である。
【０１４４】
さて、ここで、ユーザＢからユーザＡへ電気機器４２０と中継器３１０の所有者が移転されたとする。電気機器４２０の所有者がユーザＢからユーザＡへ移転された後のシステムの全体は図５と同様である。
【０１４５】
ユーザＡは、ステップＳ８０００で示した手順で、電気機器４２０と中継器３１０の経路情報とを、中継器３１０のパスコードとともに登録する。
【０１４６】
図２８は、実施の形態５における、所有者が移転された後の登録されたユーザＩＤ、経路情報、およびパスコードを示す。図２９は、実施の形態５における、電気機器の所有者の移転前後に取得されたサービス情報とパスコードを示す。
【０１４７】
サーバ２００は、各ユーザに対する、取得したセンサ情報の提供可否を判断する（ステップＳ８１１０，Ｓ８０７０，Ｓ８０８０）。サーバ２００は、サービス情報とともに判断結果を登録する（ステップＳ８１００）。
【０１４８】
図３０は、実施の形態５における、各ユーザに対するセンサ情報と、各ユーザに対するセンサ情報の提供可否とを示す。なお、図３０のサービス提供可否の項目において、「１」は許可、「０」は禁止を表す。
【０１４９】
ユーザＡから端末１００を用いて電気機器４２０のサービス情報の閲覧要求があった場合について説明する。サーバ２００は、電気機器４２０のセンサ情報は２つの情報を持っている。すなわち、電気機器４２０の所有者がＢであった場合（移転前）に取得されたセンサ情報（以下、移転前のセンサ情報と記す）と電気機器４２０の所有者がＢからＡに移転された場合（移転後）に取得されたセンサ情報（以下、移転後のセンサ情報と記す）である。サーバ２００は、ユーザＡに対しては移転後のセンサ情報の提供が許可されているため、サーバ２００は、移転後のセンサ情報を端末１００へ送信する。サーバ２００は、ユーザＡに対しては移転前のセンサ情報の提供が禁止されているため、サーバ２００は、移転前のセンサ情報を端末１００へ送信しない。
【０１５０】
一方、ユーザＢから端末１１０を用いて電気機器４２０のサービス情報の閲覧要求があった場合について説明する。ユーザＢに対しては移転前のセンサ情報の提供が許可されているため、サーバ２００は、移転前のセンサ情報をユーザＢの端末１１０へ送信する。サーバ２００は、ユーザＢに対しては移転後のセンサ情報の提供が禁止されているため、サーバ２００は、移転後のセンサ情報を端末１００へ送信しない。
【０１５１】
なお、本実施の形態において、中継器３００のパスコードを比較している。中継器３００のパスコードではなく、電気機器４００のパスコードを比較してもよい。また、電気機器４００のパスコードと中継器３００のパスコードの両方について、登録時のパスコードと取得時のパスコードを比較してもよい。
【０１５２】
なお、本実施の形態において、ステップＳ８１１０とＳ８０７０、Ｓ８０８０のフローを、サービス情報の取得時にステップＳ８０２０の後に実行しているが、これらをサービス登録ステップのステップＳ８０００の後に実行してもよい。この場合、実施の形態３と同様に、サービス情報の取得時に、ユーザＩＤ、サービス情報を取得した経路情報、およびパスコードが登録されているものとする。
【０１５３】
以上のように、本実施の形態によれば、センサ情報を登録するときにサービス提供の可否判定をする。これにより、所有者の移転後に受信されたセンサ情報は、移転後の有者がパスコードを変更することで、移転後の所有者以外へは提供されない。また、所有者の移転前に受信されたセンサ情報は、移転前の所有者以外のユーザに対しては提供されない。
【０１５４】
以上述べたとおり、本発明の各実施の形態に係るサービス提供方法は、電気機器４００，４１０，４２０，４３０を端末１００，１１０からネットワークを介して制御するサーバ２００を用いたサービス提供方法である。サービス提供方法は、端末１００，１１０から送られ、電気機器４００，４１０，４２０，４３０と電気機器４００，４１０，４２０，４３０との通信を中継する中継器３００，３１０，３２０との接続関係を示す第１の経路情報と、電気機器４００，４１０，４２０，４３０の所有者を示すユーザ情報とを関連付けて登録する第１の登録ステップを有する。また、サービス提供方法は、電気機器４００，４１０，４２０，４３０から送られたサービス情報から、電気機器４００，４１０，４２０，４３０と中継器３００，３１０，３２０との接続関係を示す第２の経路情報を取得する経路取得ステップを有する。また、サービス提供方法は、電気機器４００，４１０，４２０，４３０が保持するサービス情報を取得するサービス情報取得ステップと、第１の登録ステップで登録された第１の経路情報と、経路取得ステップで取得された第２の経路情報とを比較する比較ステップとを有する。また、サービス提供方法は、比較ステップにおいて、比較結果が一致すれば、端末１００，１１０にサービス情報を提供する提供ステップを有する。
【０１５５】
また、第１の経路情報と第２の経路情報は、電気機器４００，４１０，４２０，４３０を識別できる機器識別子と、中継器３００，３１０，３２０を識別できる中継器識別子とで構成されていてもよい。
【０１５６】
また、サービス情報は、電気機器４００，４１０，４２０，４３０に付属するセンサから取得される値であってもよい。
【０１５７】
また、第１の登録ステップにおいて、さらに第１の登録ステップ実行時の時刻情報を取得して、第１の経路情報、ユーザ情報、および第１の登録ステップ実行時の時刻情報を関連付けてサーバに登録してもよい。また、サービス情報取得ステップにおいて、さらにサービス情報取得時の時刻情報を取得して、サービス情報、第２の経路情報、およびサービス情報取得時の時刻情報を関連付けてサーバに登録してもよい。また、比較ステップにおいて、さらに第１の登録ステップで登録された時刻情報と、サービス情報取得ステップで取得された時刻情報とを比較してもよい。
【０１５８】
また、第１の登録ステップにおいて、端末１００，１１０から受信した電気機器４００，４１０，４２０，４３０のパスコードを、経路情報およびユーザ情報と関連付けてサーバに登録してもよい。また、比較ステップにおいて、さらに第１の登録ステップで登録された電気機器４００，４１０，４２０，４３０のパスコードと端末１００，１１０から受信されたパスコードとを比較してもよい。
【０１５９】
また、第１の登録ステップにおいて、端末１００，１１０から受信した中継器３００，３１０，３２０のパスコードを、経路情報およびユーザ情報と関連付けて、サーバ２００に登録してもよい。また、比較ステップにおいて、さらに第１の登録ステップで登録された中継器３００，３１０，３２０のパスコードと端末１００，１１０から受信されたパスコードと比較してもよい。
【０１６０】
また、第１の登録ステップにおいて、第１の登録ステップ実行時の時刻情報も関連付けて登録してもよい。
【０１６１】
また、第１の登録ステップにおいて、端末１００，１１０から受信した電気機器４００，４１０，４２０，４３０のパスコードをサーバ２００に登録してもよい。
【０１６２】
また、第１の登録ステップにおいて、端末１００，１１０から受信した中継器３００，３１０，３２０のパスコードをサーバ２００に登録してもよい。
【０１６３】
また、第１の経路取得ステップと比較ステップを、第１の登録ステップが発生するごとに実施し、比較ステップにおいて、比較結果が不一致であれば、端末１００，１１０にサービス情報のすべてを提供しなくてもよい。
【０１６４】
また、第１の経路取得ステップと比較ステップを、第１の登録ステップが発生するごとに実施し、比較ステップにおいて、比較結果が不一致であれば、端末１００，１１０に第１の登録ステップが発生した後のサービス情報を提供しなくてもよい。
【０１６５】
また、サービス情報取得ステップにおいて、経路取得ステップを実行し、取得した経路情報と関連付けて登録する第２の登録ステップを有してもよい。
【０１６６】
また、比較ステップを、第２の登録ステップ発生時に実行してもよい。
【産業上の利用可能性】
【０１６７】
以上のように、本発明にかかるサービス提供方法は、電気機器が移転された場合、移転前に取得されたサービス情報が移転後の所有者へ提供されることを防止でき、また、移転後に取得されたサービス情報が移転前の所有者に提供されることを防止できるという格別な効果を奏することができる。よって本発明に係るサービス提供方法は、スマートフォンを始めとした端末で、ネットワークに接続された自宅の家電の情報を取得するネットワーク家電等に適用することができ、有用である。
【符号の説明】
【０１６８】
１００，１１０    端末
２００    サーバ
３００，３１０，３２０    中継器
４００，４１０，４２０，４３０    電気機器
【図１】
2015064101.tif 000003
【図２Ａ】
2015064101.tif 000004
【図２Ｂ】
2015064101.tif 000005
【図２Ｃ】
2015064101.tif 000006
【図３】
2015064101.tif 000007
【図４Ａ】
2015064101.tif 000008
【図４Ｂ】
2015064101.tif 000009
【図４Ｃ】
2015064101.tif 000010
【図５】
2015064101.tif 000011
【図６Ａ】
2015064101.tif 000012
【図６Ｂ】
2015064101.tif 000013
【図６Ｃ】
2015064101.tif 000014
【図７Ａ】
2015064101.tif 000015
【図７Ｂ】
2015064101.tif 000016
【図７Ｃ】
2015064101.tif 000017
【図８Ａ】
2015064101.tif 000018
【図８Ｂ】
2015064101.tif 000019
【図９】
2015064101.tif 000020
【図１０】
2015064101.tif 000021
【図１１】
2015064101.tif 000022
【図１２】
2015064101.tif 000023
【図１３】
2015064101.tif 000024
【図１４】
2015064101.tif 000025
【図１５】
2015064101.tif 000026
【図１６】
2015064101.tif 000027
【図１７】
2015064101.tif 000028
【図１８】
2015064101.tif 000029
【図１９】
2015064101.tif 000030
【図２０】
2015064101.tif 000031
【図２１】
2015064101.tif 000032
【図２２】
2015064101.tif 000033
【図２３】
2015064101.tif 000034
【図２４】
2015064101.tif 000035
【図２５】
2015064101.tif 000036
【図２６】
2015064101.tif 000037
【図２７】
2015064101.tif 000038
【図２８】
2015064101.tif 000039
【図２９】
2015064101.tif 000040
【図３０】
2015064101.tif 000041
【国際調査報告】
2015064101.tif 000042
2015064101.tif 000043